(57)【要約】【課題】回転駆動手段の簡易化及び小型化を図りながら、回転ホルダを所定角度ずつ精度良く回転させようになし、新型の記憶媒体収容装置の実用化を図る。【解決手段】記憶媒体収容装置は、中心軸３２回りに回転可能に支持され、中心軸の周囲に各々記憶媒体を前側から挿入して収容する複数の記憶媒体収容部４０が円周方向に所定角度毎に形成された回転ホルダ３３と、回転ホルダを中心軸回りに所定角度ずつ回転させる回転駆動手段と、回転駆動手段により回転ホルダを中心軸回りに所定角度ずつ回転させたときその都度回転ホルダを回転停止位置に保持する保持手段５７とを備える。保持手段は、回転ホルダの外周面に円周方向に所定角度毎に形成された複数の窪み５４と、窪みに対応して回転ホルダの外周面に当接可能に配置されかつ窪みに嵌合可能なロック部材５５と、ロック部材が回転ホルダの外周面に当接するように付勢する弾性部材５６とからなる。【選択図】図５
2006034866.tif 000002
【特許請求の範囲】
【請求項１】
中心軸回りに回転可能に支持され、中心軸の周囲にそれぞれ金額価値を特定する情報を記憶した記憶媒体を前側から挿入して収容する複数の記憶媒体収容部が円周方向に所定角度毎に形成された回転ホルダと、
この回転ホルダを中心軸回りに所定角度ずつ回転させる回転駆動手段と、
この回転駆動手段により回転ホルダを中心軸回りに所定角度ずつ回転させたときその都度回転ホルダを回転停止位置に保持する保持手段とを備えたことを特徴とする記憶媒体収容装置。
【請求項２】
上記保持手段は、回転ホルダの外周面に円周方向に所定角度毎に形成された複数の窪みと、これらの窪みに対応して回転ホルダの外周面に当接可能に配置されかつ窪みに嵌合可能なロック部材と、このロック部材が回転ホルダの外周面に当接するように常時付勢する弾性部材とからなる請求項１記載の記憶媒体収容装置。
【請求項３】
上記各窪みは断面Ｖ字状に形成され、その一対の傾斜側壁は、それぞれ中間位置から開口側の部分の傾斜角が中間位置から底側の部分の傾斜角よりも小さい２段に傾斜するように設けられており、上記ロック部材の先端は山形に尖って形成され、その傾斜角は、上記窪みの傾斜側壁の底側部分の傾斜角よりも小さく開口側部分の傾斜角よりも大きく設定されている請求項２記載の記憶媒体収容装置。
【請求項４】
上記ロック部材の動きから回転ホルダの回転を検知する検知手段と、
この検知手段の信号を受け、上記回転駆動手段を制御する制御手段とを更に備えてなる請求項３記載の記憶媒体収容装置。
【請求項５】
請求項１ないし請求項４のいずれか一つに記載の記憶媒体収容装置を用いた遊技媒体貸出装置であって、
上記記憶媒体収容装置は、その回転ホルダを筐体の前面パネルに寄せた状態で筐体内に配置されており、筐体の前面パネルには回転ホルダの１つの記憶媒体収容部に対向して記憶媒体を出し入れするための出入口が設けられていることを特徴とする遊技媒体貸出装置。
【発明の詳細な説明】
【技術分野】
【０００１】
本発明は、遊技場内に設置される遊技媒体貸出装置や精算機などに金額価値を特定する情報を記憶した記憶媒体を収容するために装備する記憶媒体収容装置及びそれを用いた遊技媒体貸出装置に関する。
【背景技術】
【０００２】
従来、パチンコホールなどの遊技場では、金額価値情報を記憶した記憶媒体としてのプリペイドカード（以下、単にカードという）によりパチンコ球やメダルなどの遊技媒体の貸出を行うために、紙幣挿入口に挿入された紙幣の金額に応じた金額価値情報を書き込んだカードを発行するカード発行機、このカードの挿入を受け付けて隣接する遊技機に対し遊技媒体の貸出処理を行う台間機としての遊技媒体貸出装置、及び金額価値の残っているカードを受け付けて精算処理を行う精算機などが設置されている。
【０００３】
上記遊技媒体貸出装置には、カードの発行機能を有するカード発行型のものと、カードの発行機能を有しない非発行型のものとがある。カード発行型の遊技媒体貸出装置は、例えば特許文献１に開示されるように、装置内に予め１枚のカードを収容しておき、紙幣挿入口に所定の紙幣が挿入されると装置内に収容していたカードに挿入紙幣分の金額価値を書き込んでカード出入口に露出させた後、遊技者の操作に応じてこのカードを装置内に引き込み、遊技媒体の貸出処理を行う。金額価値が零になったカードは、別のカードを収容していない場合装置内に回収され、別のカードを収容している場合カード出入口より排出される。
【特許文献１】特開平９−１４０９２２号公報
【０００４】
ところが、上記カード発行型の遊技媒体貸出装置では、単一のカードを収容しているに過ぎないため、そのカードが抜き取られると店員が新たなカードを補充する必要があるとともに、その補充をするまでの間装置が使用不能となり、稼働率が低くなるという問題がある。特に、高額のカードを発行するものの場合、残額のあるカードを遊技者が抜き取る可能性が高いため、この問題が一層顕著なものである。
【０００５】
また、従来の遊技媒体貸出装置は、カード発行型及び非発行型のいずれも金額価値が零になったカードを装置外に排出しているため、カードが遊技場内で散乱し、店員がカードを回収する作業が必要になるとともに、装置外に排出されたカードを利用した偽造カードによる不正行為を招く虞もある。
【０００６】
このような問題を解決するために、遊技媒体貸出装置が複数枚のカードを収容できるようにすることが考えられるが、複数枚のカードを１枚ずつ排出できる状態に収容するためには大きなスペースが必要になり、特に、台間機として限られた幅の遊技機同士の間に配置される遊技媒体貸出装置では奥行き方向に大型化し、遊技場への適用が困難になる。また、積層して収容された複数枚のカードを１枚ずつ正確に排出するためには複雑な機構が必要になり、部品点数の増加によるコストの上昇を招くという欠点もある。
【０００７】
そこで、本出願人は、先に、以上のことを考慮し、装置の小型化及びコストの低廉化などを図るために、記憶媒体として、カードの代わりに、ＩＣチップを内蔵する棒状のものを用い、この棒状の記憶媒体を複数収容できかつ１つずつ排出できるようにするための新型の記憶媒体収容装置を装備してなる遊技媒体貸出装置を提案している（特願２００３−３０７８９９号明細書及び図面参照）。この新型の記憶媒体収容装置は、中心軸回りに回転可能に支持された回転ホルダの中心軸の周囲に、それぞれ上記記憶媒体を前側から挿入して収容する複数の記憶媒体収容部を円周方向に所定角度毎に形成し、上記回転ホルダを所定角度ずつ回転させる回転駆動手段を備えてなる。
【発明の開示】
【発明が解決しようとする課題】
【０００８】
ところで、上記新型の記憶媒体収容装置を遊技媒体貸出装置の筐体内に装備する場合には、記憶媒体収容装置の回転ホルダを遊技媒体貸出装置の筐体の前面パネルに寄せた状態で記憶媒体収容装置を筐体内に配置するとともに、筐体の前面パネルに回転ホルダの１つの記憶媒体収容部に対向して記憶媒体用の出入口を設け、この出入口を通して回転ホルダの記憶媒体収容部に対し遊技媒体の出し入れを行う。このため、回転駆動手段において、回転ホルダを所定角度ずつ回転させるに当たっては精度良く行う必要があるが、ステッピングモータなどを用いてこれを実現しようとすると回転駆動手段の構成が複雑かつ大型化し、コスト的にも高価になるなどの問題がある。
【０００９】
本発明はかかる点に鑑みてなされたものであり、その第１の課題とするところは、回転駆動手段の簡易化及び小型化を図りながら、回転ホルダを所定角度ずつ精度良く回転させるようになし、もって新型の記憶媒体収容装置の実用化を図り得るようにするものである。
【００１０】
また、本発明の第２の課題は、上記新型の記憶媒体収容装置を記憶媒体貸出装置に装備する場合の具体的な態様を提供するものである。
【課題を解決するための手段】
【００１１】
上記第１の課題を解決するため、請求項１に係る発明は、記憶媒体収容装置として、中心軸回りに回転可能に支持され、中心軸の周囲にそれぞれ金額価値を特定する情報を記憶した記憶媒体を前側から挿入して収容する複数の記憶媒体収容部が円周方向に所定角度毎に形成された回転ホルダと、この回転ホルダを中心軸回りに所定角度ずつ回転させる回転駆動手段と、この回転駆動手段により回転ホルダを中心軸回りに所定角度ずつ回転させたときその都度回転ホルダを回転停止位置に保持する保持手段とを備える構成にする。
【００１２】
この構成では、回転駆動手段により回転ホルダを中心軸回り所定角度ずつ回転させたときには、その都度回転ホルダが保持手段により所定角度毎の回転停止位置に保持されるため、回転ホルダの所定角度ずつの回転を精度良く行うことができる。しかも、回転駆動手段としては、ステッピングモータなどを用いて回転ホルダの所定角度ずつの回転を精度良く行う必要はなく、その構成の簡易化及び小型化が図り易くなる。
【００１３】
請求項２に係る発明は、請求項１記載の記憶媒体収容装置において、上記保持手段の具体的な形態を提供する。すなわち、保持手段を、回転ホルダの外周面に円周方向に所定角度毎に形成された複数の窪みと、これらの窪みに対応して回転ホルダの外周面に当接可能に配置されかつ窪みに嵌合可能なロック部材と、このロック部材が回転ホルダの外周面に当接するように常時付勢する弾性部材とにより構成する。この構成では、弾性部材により付勢されたロック部材は回転ホルダの外周面に常時当接し、この回転ホルダが回転停止位置に位置するときにはその外周面の窪みにロック部材が嵌合して回転ホルダを回転停止位置に保持する。回転ホルダが回転駆動手段により中心軸回りに所定角度回転させられるときには、ロック部材は回転ホルダの回転に伴いその外周面の窪みから抜け出て外周面上を摺動し、隣の窪みに嵌合して回転ホルダを所定角度回転後の回転停止位置に保持するようになる。
【００１４】
請求項３に係る発明は、請求項２記載の記憶媒体収容装置において、上記各窪みを断面Ｖ字状に形成し、その一対の傾斜側壁を、それぞれ中間位置から開口側の部分の傾斜角が中間位置から底側の部分の傾斜角よりも小さい２段に傾斜するように設ける一方、上記ロック部材の先端を山形に尖って形成し、その傾斜角を、上記窪みの傾斜側壁の底側部分の傾斜角よりも小さく開口側部分の傾斜角よりも大きく設定する構成にする。この構成では、ロック部材が回転ホルダの外周面の窪みに嵌合して回転ホルダを回転停止位置に保持するときには、ロック部材の山形の先端が、窪みの一対の傾斜側壁の中間位置にそれぞれ接触して窪みに嵌合する。この嵌合位置よりも回転ホルダが回転し過ぎたときにはロック部材の先端が窪みの回転方向後側の傾斜側壁の開口側部分に接触して回転ホルダの回転が阻止されるため、ロック部材と窪みとの嵌合による回転ホルダの回転停止位置での回転停止及び保持を確実に行うことができる。
【００１５】
請求項４に係る発明は、請求項３記載の記憶媒体収容装置において、更に、上記ロック部材の動きから回転ホルダの回転を検知する検知手段と、この検知手段の信号を受け、上記回転駆動手段を制御する制御手段とを備える構成にする。この構成では、検知手段がロック部材の動きから回転ホルダの回転を検知し、その検知信号が制御手段に入力されて回転駆動手段の制御つまりフィードバック制御が行われるため、回転ホルダの回転駆動制御を適切に行うことができる。その上、保持手段のロック部材と窪みとの嵌合により回転ホルダの回転停止位置での回転停止及び保持を確実に行うことができるので、検知手段の誤検出ひいては回転駆動手段の誤制御を未然に防止できる。
【００１６】
上記第２の課題を解決するため、請求項５に係る発明は、請求項１ないし請求項４のいずれか一つに記載の記憶媒体収容装置を用いた遊技媒体貸出装置において、上記記憶媒体収容装置を、その回転ホルダを筐体の前面パネルに寄せた状態で筐体内に配置し、筐体の前面パネルに、回転ホルダの１つの記憶媒体収容部に対向して記憶媒体を出し入れするための出入口を設ける構成にする。この構成では、記憶媒体収容装置の回転ホルダが円周方向に所定角度毎の回転停止位置に確実に保持されることから、遊技媒体貸出装置における筐体の前面パネルの出入口を通して回転ホルダの記憶媒体収容部に対し記憶媒体の出し入れを円滑にかつ確実に行うことができる。
【発明の効果】
【００１７】
以上のように、本発明の記憶媒体収容装置によれば、回転ホルダを回転駆動手段により中心軸回り所定角度ずつ回転させたときには、その都度回転ホルダが回転駆動手段とは別の保持手段により所定角度毎の回転停止位置に保持されるため、回転駆動手段の簡易化及び小型化を図りながら、回転ホルダの所定角度ずつの回転を精度良く行うことができ、実用化を有効に図ることができる。
【００１８】
特に、請求項２に係る発明では、保持手段が回転ホルダの外周面に形成された窪みと弾性部材により付勢されたロック部材との嵌合により回転ホルダを回転停止位置に保持するものであるため、保持手段自体の簡易化を図ることができ、実用化をより図ることができる。
【００１９】
請求項３に係る発明では、回転ホルダが窪みとロック部材との嵌合位置よりも回転し過ぎたときにはロック部材の先端が窪みの回転方向後側の傾斜側壁の開口側部分に接触して回転ホルダの回転が阻止されるため、ロック部材と窪みとの嵌合による回転ホルダの回転停止位置での回転停止及び保持を確実に行うことができ、信頼性を高めることができる。
【００２０】
請求項４に係る発明では、検知手段がロック部材の動きから回転ホルダの回転を検知し、その検知信号に基づいて回転駆動手段のフィードバック制御が行われるため、回転ホルダの回転駆動制御を適切に行うことができる上、保持手段のロック部材と窪みとの嵌合により回転ホルダの回転停止位置での回転停止及び保持を確実に行うことができるので、検知手段の誤検出ひいては回転駆動手段の誤制御を未然に防止することができ、信頼性をより高めて実用化を一層図ることができる。
【００２１】
また、本発明の遊技媒体貸出装置によれば、筐体の前面パネルの出入口を通して筐体内に配置した記憶媒体収容装置の回転ホルダの記憶媒体収容部に対し記憶媒体の出し入れを円滑にかつ確実に行うことができるので、実施化を図る上で非常に有利なものである。
【発明を実施するための最良の形態】
【００２２】
以下、本発明を実施するための最良の形態である実施形態を図面に基づいて説明する。
【００２３】
図１及び図２は本発明の一実施形態に係る遊技媒体貸出装置Ａの外観を示し、この遊技媒体貸出装置Ａは、遊技場内の横並びに隣接する２台のパチンコ機の間に台間機として設置されるものである。
【００２４】
上記遊技媒体貸出装置Ａは、筐体１内に紙幣識別機２、カードユニット３、記憶媒体収容装置４及び主制御基板（図示せず）などを装備してなり、筐体１の正面側を構成する正面パネル１ａには上側から紙幣挿入口１１、マルチランプ１２、情報表示部１３、確認ボタン１４、リモコン表示部１５、カード出入口１６、モード表示部１７及び記憶媒体用出入口１８が設けられている。
【００２５】
上記紙幣挿入口１１は、筐体１内の紙幣識別機２と連通しており、この紙幣挿入口１１から所定の紙幣（例えば千円札）を挿入すると紙幣識別機２でその紙幣が真正であることを確認した後、紙幣識別機２から紙幣を遊技媒体貸出装置Ａの背面側に配置される紙幣搬送装置（図示せず）に送出するようになっている。
【００２６】
上記マルチランプ１２は、遊技媒体貸出装置Ａの動作状態を点灯色及び点灯状態（例えば連続点灯状態又は点滅状態）によって表示するものである。また、情報表示部１３は、エラーコードなどの情報を７セグメントで表示するもので、確認ボタン１４の押し操作により表示が行われる。リモコン表示部１５は、リモコンの故障時などを７セグメントで表示するものである。
【００２７】
上記モード表示部１７は、カードユニット３又は記憶媒体収容装置４のいずれが使用可能なモードであるかを「△」記号側の上半部又は「▽」記号側の下半部を点灯して表示するものである。カードユニット３が使用可能なモードの場合、カード出入口１６にカードが挿入されているときに、紙幣挿入口１１に所定の紙幣を挿入するとカード出入口１６に挿入されているカードに挿入金額に相当する分の金額価値を書き込ませ、隣接する一方のパチンコ機に対し貸出データを送信してパチンコ球の貸出処理を行わせる。また、記憶媒体収容装置４が使用可能なモードの場合、カードの代わりに、図３に示すような記憶媒体２０を、記憶媒体用出入口１８から発行するとともに、記憶媒体２０の出入口１８への挿入を受け付け、その記憶媒体２０の金額価値に応じた数のパチンコ球の貸出処理を隣接する一方のパチンコ機に対し行わせる。
【００２８】
上記記憶媒体２０は、図３に示すように、合成樹脂からなる棒状のボディ２１と、このボディ２１内の軸方向中央部に埋設されたＩＣチップ２２とからなる。ボディ２１の軸方向と直交する断面形状ないし輪郭形状は、上面を下面よりも幅広でかつ円弧状に、下面を略直線状にそれぞれ設けて上下非対称に形成されており、ＩＣチップ２２は、このボディ２１の上面側に寄り添って埋設されている。また、ボディ２１は、上面側ボディ２１ａと下面側ボディ２１ｂの２つに分割されてなり、上記ＩＣチップ２２は、上面側ボディ２１ａの合わせ面中心部に形成した凹部２３内に収納した状態で上面側ボディ２１ａと下面側ボディ２１ｂとに挟まれて設けられている。上面側ボディ２１ａと下面側ボディ２１ｂとは、互いに色違いに設けられており、例えば上面側ボディ２１ａは記憶媒体２０の金額価値に応じて赤色、黄色又は青色などに着色され、下面側ボディ２１ｂは記憶媒体２０の金額価値に拘わらず黒色に着色されている。さらに、記憶媒体２０の上面である上面側ボディ２１ａの軸方向両端部にはそれぞれ矩形状の係合凹部２４，２４が形成されているとともに、記憶媒体２０の下面である下面側ボディ２１ｂには軸方向に延びる１条の嵌合溝２５が形成されている。よって、記憶媒体２０は、記憶媒体用出入口１８に挿入する際には上下を正しくすれば前後を問わないようになっている。
【００２９】
上記記憶媒体収容装置４は、図４及び図５に詳示するように、箱形のケース３１と、このケース３１内の前部側に中心軸３２を前後方向に向けた状態でかつ中心軸３２回りに回転可能に支持された回転ホルダ３３と、この回転ホルダ３３の後述する各記憶媒体収容部４０内に収容された記憶媒体２０をそれぞれ収容位置に保持するロック機構３４と、このロック機構３４により保持された記憶媒体２０のうち、回転ホルダ３３の最上部に位置する記憶媒体収容部４０内に収容された記憶媒体２０の保持状態（ロック状態）を解除するロック解除手段３５と、このロック解除手段３５により記憶媒体２０の保持状態が解除された時その記憶媒体２０を収容位置よりも前側へ押し出す押圧手段３６と、回転ホルダ３３を中心軸３２回りに所定角度ずつ回転させる回転駆動手段３７と、ケース３１内の後部側に配置されかつロック解除手段３５及び回転駆動手段３７の作動（詳しくは後述する直動型ソレノイド４６，６５の作動）を制御する制御手段としての制御基板３８とを備えている。ケース３１は半割りのもので、筐体１の側面にねじ止めにより固定されたベース３１ａと、このベース３１ａに重ね合わせてねじ止めにより固定されたカバー３１ｂとからなる。
【００３０】
上記回転ホルダ３３の中心軸３２の周囲にはそれぞれ上記記憶媒体２０を前側から挿入して収容する６つの記憶媒体収容部４０，４０，…が円周方向に所定角度（６０°）毎に形成されている。この回転ホルダ３３の前端部は、ケース３１の前壁より前方に突出しているとともに、回転ホルダ３３の６つの記憶媒体収容部４０，４０，…うち、中心軸３２の真上で最上部に位置する記憶媒体収容部４０は、前面パネル１ａの記憶媒体用出入口１８に対向するようになっており、回転ホルダ３３の各記憶媒体収容部４０に対する記憶媒体２０の挿入及び排出は、その記憶媒体収容部４０が最上部に位置するときに行われる。また、回転ホルダ３３の各記憶媒体収容部４０は、記憶媒体２０の断面形状に対応して、中心軸３２と直交する断面形状が内側（中心軸３２寄り）と外側（外周面寄り）とで非対称に形成されており、この各記憶媒体収容部４０の挿入口側にはそれぞれ内側より突出する突起部４１が回転ホルダ３３と一体に形成されており、この突起部４１は、各記憶媒体収容部４０内に記憶媒体２０を挿入して収容するときこの記憶媒体２０の嵌合溝２５に嵌合するようになっている（図６参照）。
【００３１】
上記ロック機構３４は、図６及び図７に拡大詳示するように、各記憶媒体収容部４０に対応してそれぞれ回転ホルダ３３の後部外周に設けられた６つのロック部材４２，４２，…と、回転ホルダ３３の後端面に設けられた１つの弾性部材としてのばね部材４３とからなる。上記各ロック部材４２は、図８に詳示するように、一端部に記憶媒体２０の係合凹部２４に係合可能なフック部４２ａを有し、中央部に左右一対の軸部４２ｂ，４２ｂを有するもので、フック部４２ａを前向きにした状態で回転ホルダ３３に対し軸部４２ｂ回りに回動可能に支持されている。また、上記ばね部材４３は、図９に詳示するように、回転ホルダ３３の後端面に固定された略円形状の固定部４３ａと、この固定部４３ａの周縁部に各記憶媒体収容部４０ないし各ロック部材４２に対応してそれぞれ後向きに略直角に折り曲げてなる６つの板ばね部４３ｂ，４３ｂ，…とを有している。このばね部材４３の各板ばね部４３ｂ上にそれぞれ対応するロック部材４２のフック部４２ａと反対側の端部が重ね合わせて支持され、ばね部材４３により各ロック部材４２のフック部４２ａが記憶媒体２０の係合凹部２４に係合する方向に常時回動付勢されている。
【００３２】
上記ロック解除手段３５は、図４及び図６に示すように、中央部で支軸４４回りに回動可能に支持され、一端が回転ホルダ３３の最上部に位置する記憶媒体収容部４０に対応するロック部材４２のフック部４２ａと反対側の端部の上方にまで延びる解除レバー４５と、この解除レバー４５の他端にプランジャ４６ａの先端が連結されたソレノイド４６とからなる。このソレノイド４６は、電源のオンオフ切替によりプランジャ４６ａが軸方向に移動する直動型のもので、プランジャ４６ａを下向きにして配置されている。そして、電源のオフ時には図４及び図６に示すように、ソレノイド４６のプランジャ４６ａは、コイルばね４６ｂの付勢力によりソレノイド本体４６ｃから下方に最大限に突出しており、電源をオンに切り替えるとプランジャ４６ａがソレノイド本体４６ｃに引き寄せられ、解除レバー４５が支軸４４回りに図で時計方向に回動してロック部材４２のフック部４２ａと反対側端部を押圧するようになっている。尚、解除レバー４５の支軸４４が貫通する貫通孔４７は、解除レバー４５の回動時の軸方向変位を許容するために長孔に形成されている。
【００３３】
上記押圧手段３６は、同じく図４及び図６に示すように、回転ホルダ３３の各記憶媒体収容部４０にそれぞれ設けられた６つの押圧部材４８，４８，…と、この各押圧部材４８を介して記憶媒体収容部４０内の記憶媒体２０をそれぞれ前側へ押し出すように付勢する６つの弾性部材としてのコイルばね４９，４９，…とからなる。上記各押圧部材４８は、記憶媒体収容部４０内の記憶媒体２０の端面に当接可能でかつ回転ホルダ３３の軸方向に沿って摺動可能に設けられた押圧部４８ａと、この押圧部４８ａから上記ばね部材４３の固定部４３ａに設けた挿通孔５０（詳しくは図９参照）を通して後方にまで延出するロッド部４８ｂとを有しており、このロッド部４８ｂの後端には斜めに傾斜する反射面４８ｃが形成されている。上記各コイルばね４９は、この各押圧部材４８のロッド部４８ｂ外周に押圧部４８ａとばね部材４３の固定部４３ａとの間に縮装した状態で配置されている。
【００３４】
一方、ケース３１のベース３１ａには、図４及び図６に示すように、回転ホルダ３３の最上部に位置する記憶媒体収容部４０に対向して、通信部５２及び感知センサ５３が設けられている。通信部５２は、そのアンテナ面５２ａが回転ホルダ３３の上方でその外周面に近接した状態で配置されていて、この回転ホルダ３３の最上部に位置する記憶媒体収容部４０内に収容された記憶媒体２０のＩＣチップ２２との間で微少な電力によって非接触で通信が可能で、この記憶媒体２０のＩＣチップ２２に対し金額価値を特定する情報などの書き込み及び読み込みが可能になっている。また、感知センサ５３は、本実施形態では光センサからなり、回転ホルダ３３の最上部に位置する記憶媒体収容部４０に対応する押圧部材４８の反射面４８ｃに向けて光を照射し、この反射面４８ｃからの反射光の有無により上記記憶媒体収容部４０内に記憶媒体２０が収容されているか否かを判定するようになっている。感知センサ５３は、制御基板３８に信号授受可能に接続されている一方、通信部５２は、遊技媒体貸出装置Ａの主制御基板に信号授受可能に接続され、この通信部５２で読み込んだ記憶媒体２０の金額価値の情報に基づいて主制御基板はパチンコ球の貸出処理制御を行う。
【００３５】
また、上記回転ホルダ３３の外周面には、図５に示し、図１０に拡大詳示するように、回転ホルダ３３の回転停止位置毎つまり円周方向に６０°間隔毎にそれぞれ窪み５４，５４，…が形成されているとともに、回転ホルダ３３の下方には、これらの窪み５４，５４，…に対応して回転ホルダ３３の外周面に当接可能でかつ窪み５４に嵌合可能な１つのロック部材５５と、このロック部材５５が回転ホルダ３３の外周面に当接するようにロック部材５５を上方つまり回転ホルダ３３の中心に向けて常時付勢する弾性部材としてのコイルばね５６とが配置されており、これらにより、回転ホルダ３３が中心軸３２回りに６０°回転する毎に上記ロック部材５５が１つの窪み５４に嵌合して回転ホルダ３３を回転停止位置に保持する保持手段５７が構成されている。
【００３６】
上記各窪み５４は断面Ｖ字状に形成され、その一対の傾斜側壁５４ａ，５４ａは、それぞれ中間位置５４ｂから開口側の部分５４ｃの傾斜角（つまり窪み５４の中心線と直交する基準線に対する角度）が中間位置５４ｂから底側の部分５４ｄの傾斜角よりも小さい２段に傾斜するように、つまり中間位置５４ｂが傾斜側壁５４ａの屈折点になるように設けられている。一方、上記ロック部材５５は、先端部が山形に尖り全体が野球のホームベース状に形成されており、その先端部の傾斜角は、上記窪み５４の傾斜側壁５４ａの底側部分５４ｄの傾斜角よりも小さく開口側部分５４ｃの傾斜角よりも大きく設定され、ロック部材５５の先端部が窪み５４に嵌合したときには窪み５４の各傾斜側壁５４ａの屈折点５４ｂにロック部材５５の先端部が接触するようになっている。また、ロック部材５５は、ケース３１に形成した収容部３１ｃ内から先端部が上方に向かって出没可能に配置されているとともに、このロック部材５５の基端面である下端面には遮蔽ロッド５８の一端が固定されており、上記コイルばね５６は、収容部３１ｃ内の遮蔽ロッド５８外周に配置されている。
【００３７】
上記遮蔽ロッド５８の他端部は、収容部３１ｃよりも下方に延出されており、この遮蔽ロッド５８の他端つまり下端に対応して光センサ５９がケース３１に取り付けている。この光センサ５９は、投光部５９ａと受光部５９ｂとの間に遮蔽ロッド５８の下端が位置するか否かによりロック部材５５の上下動作、ひいてはこの動作から回転ホルダ３３の回転を検知する検知手段としての機能を有するものであり、その検知信号は、図１０に実線で示す如くロック部材５５が回転ホルダ３３の窪み５４に嵌合した状態から、図１０に仮想線で示す如くロック部材５５が回転ホルダ３３の窪み５４外の外周面に当接して収容部３１ｃ内に没入し、遮蔽ロッド５８の下端が透光部５９ａ及び受光部５９ｂの上下方向中間位置にまで降下した状態に変化した時点で出力されるように設定されており、その出力信号は制御基板３８に入力される。
【００３８】
さらに、上記回転駆動手段３７は、図４、図６及び図７に示すように、回転ホルダ３３の後端面にばね部材４３と共に固定された係合部材６１と、この係合部材６１に対応して、つまり回転ホルダ３３の後端側で回転ホルダ３３の中心軸３２と直交する平面内に沿って移動可能に、詳しくは支軸６２回りに回動可能に配置された可動部材６３と、この可動部材６３を回転ホルダ３３に対し近接方向又は離間方向に選択的に伝達アーム６４を介して移動させるソレノイド６５とを備えている。
【００３９】
上記係合部材６１は、回転ホルダ３３の後端面にばね部材４３の固定部４３ａを介在して回転ホルダ３３と同心状に固定された略円筒状の固定部６１ａと、この固定部６１ａに円周方向に所定角度（６０°）毎に形成された６つの円柱状のボス部６１ｂ，６１ｂ，…と、この各ボス部６１ｂの先端からそれぞれ後方に突出して形成された６つの係合突起部６１ｃ，６１ｃ，…とからなり、６つの係合突起部６１ｃ，６１ｃ，…は、固定部６１ａにより互いに連結されている。また、各係合突起部６１ｃは、ボス部６１ｂと同一半径の半円柱状のもので、外周面に円弧状曲面６１ｄと平面６１ｅとを有しており、平面６１ｅは、回転ホルダ３３の半径方向外向きでかつ回転方向前向きに臨んで設けられている。
【００４０】
上記可動部材６３は、図７に示すように、平面形状が略三角形状のもので、その１つの角部で支軸６２を介してケース３１のベース３１ａ側に回動可能に支持されている。この可動部材６３の支軸６２と対向する一辺の回転ホルダ３３側には、図１１にも示すように、上記各係合突起部６１ｃに係合可能な係合爪６６が回動部材６３に形成した一対の保持片６７，６７により保持されつつ側方に出没可能に設けられており、この係合爪６６は、可動部材６３に装着した板ばね６８により可動部材６３の一辺から側方に突出した状態に常時付勢されている。また、可動部材６３には、ケース３１のベース３１ａ側に設けた支持部材６９（図４参照）に突設されたガイドピン７０が貫通しこのガイドピン７０と協働して可動部材６３の回動をガイドする円弧状のガイド孔７１が設けられているとともに、伝達アーム６４の押圧部６４ａが当接するピン部７２が突出して形成されている。可動部材６３の別の角部には丸孔７３が設けられ、この丸孔７３には可動部材６３を回転ホルダ３３から離間する方向に付勢するコイルばね７４の一端が掛け止めされている。
【００４１】
上記ソレノイド６５は、ロック解除手段３５のソレノイド４６と同じく電源のオンオフ切替によりプランジャ６５ａが軸方向に移動する直動型のもので、ロック解除手段３５のソレノイド４６の真下でプランジャ６５ａを下向きにして配置されている。
【００４２】
次に、上記実施形態の作動、特に、本発明の特徴点に係る記憶媒体収容装置４の回転ホルダ３３を回転停止位置に保持する保持手段５７の作動などを、図５及び図１０に加え、図１２及び図１３を参照しながら説明する。
【００４３】
今、図５及び図１０に示すように、回転ホルダ３３の外周面の１つの窪み５４にロック部材５５の先端部がコイルばね５６の付勢力を受けた状態で嵌合することにより、回転ホルダ３３は、その最上部に位置する記憶媒体収容部４０が筐体１の前面パネル１ａの記憶媒体用出入口１８に対向する回転停止位置に保持されている。このとき、上記ロック部材５５の先端部は、窪み５４の一対の傾斜側壁５４ａ，５４ａの屈折点５４ｂにそれぞれ接触して安定性よく嵌合しているため、回転ホルダ３３の回転停止位置での保持力を高めて回転ホルダ３３のガタツキを防止することができる。
【００４４】
そして、このような状態から回転駆動手段３７により回転ホルダ３３を中心軸３２回りに図で反時計方向に６０°回転させたときには、ロック部材５５は、図１２に示すように回転ホルダ３３の回転に伴いその外周面の窪み５４から抜け出て外周面上を摺動し、隣の窪み５４に嵌合して回転ホルダ３３を６０°回転後の回転停止位置に保持する。このとき、ロック部材５５は、ケース３１の収容部３１ｃ内に埋没する位置と収容部３１内から突出する位置との間を移動し、光センサ５９は、このロック部材５５の動作から回転ホルダ３３の回転を検知し、制御基板３８に向けて検知信号を出力する。制御基板３８は、この検知信号を基に回転駆動手段３５及び回転駆動手段３７の各ソレノイド４６，６５の作動を制御する。
【００４５】
上記回転ホルダ３３が慣性力などにより回転停止位置よりも回転し過ぎたときには、図１３に示すようにロック部材５５の先端部が窪み５４の回転方向後側の傾斜側壁５４ａの開口側部分５４ｃに接触して回転ホルダ３３の回転が阻止され、回転ホルダ３３が回転停止位置にまで戻される。このため、ロック部材５５と窪み５４との嵌合による回転ホルダ３３の回転停止位置での回転停止及び保持を確実に行うことができる。また、このとき、ロック部材５５がケース３１の収容部３１ｃ内に埋没する位置にまで移動することはないので、光センサ５９から検知信号が誤って出力されることもない。
【００４６】
このように、記憶媒体収容装置４の回転ホルダ３３が中心軸３２回りに６０°回転して回転ホルダ３３の最上部に位置する記憶媒体収容部４０が筐体１の前面パネル１ａの記憶媒体用出入口１８に対向するときには、保持手段５７により回転ホルダ３３が回転停止位置に確実に停止しかつ保持されるため、上記出入口１８を通して回転ホルダ３３の記憶媒体収容部４０に対し記憶媒体２０の出し入れを円滑にかつ確実に行うことができる。しかも、回転ホルダ３３を回転させる回転駆動手段３７としては、ステッピングモータなどを用いて回転ホルダ３３の所定角度ずつの回転を精度良く行う必要はないので、その分回転駆動手段３７の簡易化及び小型化を図ることができる。
【００４７】
尚、本発明は上記実施形態に限定されるものではなく、その他種々の実施形態を包含するものである。例えば上記実施形態では、回転ホルダ３３の外周面に断面Ｖ字状の窪み５４を円周方向に６０°間隔に６つ形成し、回転ホルダ３３の下方にこの窪み５４に嵌合可能な先端が山形に尖ったロック部材５５を配置したが、本発明は、窪み５４及びロック部材５５の形状を限定するものではなく、例えば窪み５４の形状を円弧状に、ロック部材５５の形状を円形状にそれぞれ形成してもよい。
【００４８】
また、上記実施形態では、遊技場内の２台のパチンコ機の間に設置される台間機としての自発行型の遊技機媒体貸出装置Ａに記憶媒体収容装置４を装備した場合について述べたが、本発明の記憶媒体収容装置は、記憶媒体を発行しない非発行型の遊技媒体貸出装置、２台のスロットマシンの間に設置される台間機としての遊技媒体貸出装置など型式の異なる遊技媒体貸出装置、あるいは遊技媒体貸出装置以外に遊技媒体発行装置又は精算機に装備する場合にも同様に適用することができる。
【図面の簡単な説明】
【００４９】
【図１】本発明の実施形態に係る遊技媒体貸出装置の正面図である。
【図２】同じく一部切開側面図である。
【図３】（ａ）は記憶媒体の平面図、（ｂ）は同正面図、（ｃ）は同底面図、（ｄ）は同右側面図、（ｅ）は（ａ）のＸ−Ｘ線における断面図である。
【図４】記憶媒体収容装置の構成を示す一部切開側面図である。
【図５】図４のＹ−Ｙ線における拡大断面図である。
【図６】図４の回転ホルダ付近の拡大図である。
【図７】図４のＺ方向から見た矢視図である。
【図８】記憶媒体をロックするロック部材の斜視図である。
【図９】上記ロック部材をロック状態に回動付勢するためのばね部材の斜視図である。
【図１０】図５の回転ホルダ及び保持手段付近の拡大図である。
【図１１】図７のＭ方向から見た可動部材の側面図である。
【図１２】保持手段の作動を説明するための図５相当図である。
【図１３】同じく図５相当図である。
【符号の説明】
【００５０】
Ａ    遊技媒体貸出装置
１    筐体
１ａ  前面パネル
４    記憶媒体収容装置
１８    記憶媒体用出入口
２０    記憶媒体
３２    中心軸
３３    回転ホルダ
３７    回転駆動手段
３８    制御基板（制御手段）
４０    記憶媒体収容部
５４    窪み
５４ａ  傾斜側壁
５４ｂ  中間位置（屈折点）
５４ｃ  開口側部分
５４ｄ  底側部分
５５    ロック部材
５６    コイルばね（弾性部材）
５７    保持手段
５９    光センサ（検知手段）
【図１】
2006034866.tif 000003
【図２】
2006034866.tif 000004
【図３】
2006034866.tif 000005
【図４】
2006034866.tif 000006
【図５】
2006034866.tif 000007
【図６】
2006034866.tif 000008
【図７】
2006034866.tif 000009
【図８】
2006034866.tif 000010
【図９】
2006034866.tif 000011
【図１０】
2006034866.tif 000012
【図１１】
2006034866.tif 000013
【図１２】
2006034866.tif 000014
【図１３】
2006034866.tif 000015